(57)【特許請求の範囲】
【請求項１】
弁ボディの一側面に、圧力流体の供給ポート、出力ポート、及び排出ポートを備えるとともに、前記弁ボディ内に、該弁ボディの軸方向に沿って移動して前記出力ポートを前記供給ポートと排出ポートとに切換えて連通させる主弁体及びパイロット室を有する主弁と、
前記弁ボディにて前記一側面と対向する側に設けられ、前記主弁の前記パイロット室にパイロット流体を給排するパイロット電磁弁とを備え、前記パイロット電磁弁からパイロット室に給排されるパイロット流体によって前記主弁体を移動させるパイロット式切換弁において、
前記パイロット電磁弁を覆うカバーを備え、該カバーにて前記弁ボディの一側面と対向する外面に、前記パイロット電磁弁に通電するためのケーブルを接続可能とする接続コネクタを備えるとともに、該接続コネクタは、前記ケーブルが前記弁ボディの軸方向に沿って延びるように該ケーブルを接続可能とする接続口を備え、該接続口は前記弁ボディの軸方向に対して直交するように開口しており、
さらに、前記カバーの外面に臨む操作面を有し該操作面が押圧されることによって前記パイロット電磁弁を操作して前記パイロット流体を前記パイロット室に供給可能とする手動操作釦を備え、前記接続コネクタからケーブルが延びる側に配設されたパイロット電磁弁を操作する手動操作釦を、前記操作面の全てが、前記カバーの外面にて前記接続口よりも前記ケーブルの延びる側へ超えない位置であり、かつ前記接続コネクタによって覆われない位置に配置したことを特徴とするパイロット式切換弁。
【請求項２】
前記手動操作釦は、一端に前記操作面を有する操作軸と、該操作軸に対して交差する方向へ延びる腕部と、該腕部に突設され前記操作面の押圧に伴い前記パイロット電磁弁を押圧操作する操作部とから形成されている請求項１に記載のパイロット式切換弁。
【請求項３】
前記弁ボディには、前記操作軸が挿入されるガイド穴が形成され、該ガイド穴の内底面には、前記操作軸の他端が当接する当接部が設けられている請求項２に記載のパイロット式切換弁。
【請求項４】
前記手動操作釦は、前記パイロット電磁弁のハウジングに形成された挿入孔内に挿入された押圧部材を介してパイロット電磁弁を操作するように構成され、該押圧部材と挿入孔との間には防滴用のシール部材が設けられている請求項１〜請求項３のうちいずれか一項に記載のパイロット式切換弁。
【発明の詳細な説明】
【技術分野】
【０００１】
本発明は、パイロット電磁弁からパイロット室に給排されるパイロット流体によって主弁体を移動させるパイロット式切換弁に関する。
【背景技術】
【０００２】
この種のパイロット式切換弁は、例えば、主弁体を有する主弁と、２個のパイロット電磁弁とを備えている。そして、パイロット式切換弁においては、前記パイロット電磁弁への通電及び通電の解除によって前記主弁に給排されるパイロット流体で主弁体を移動させ、該主弁に設けられた複数のポート間の連通を切換えるようになっている。また、上記パイロット式切換弁は、ベース上に設置されており、該ベースに設けられた流路と前記ポートとが連通されているとともに、ベースに取り回されたケーブルが接続され、該ケーブルを介してパイロット電磁弁への通電及び通電の解除が行われるようになっている。
【０００３】
また、このパイロット式切換弁には、試運転時やパイロット電磁弁が通電不能となったときのために、手動によって主弁にパイロット流体を給排させる手動操作装置が設けられている（例えば、特許文献１参照。）。この手動操作装置は、該手動操作装置をパイロット式切換弁の上方側から操作可能となるように、手動操作釦が主弁の上面に臨むように配置されている。
【０００４】
さらに、上記構成のパイロット式切換弁は、マニホールドベース上に連設されることが多い。そして、前記マニホールドベースを構成する各ベースは、上記パイロット式切換弁を取り付けるためのねじ穴のピッチが標準化されたタイプのもの（ＩＳＯ準拠タイプ）が存在し、各種メーカー製造のパイロット式切換弁を取り付けることが可能となっている。このため、このＩＳＯ準拠のベースには前記ケーブルが取り回し配線されておらず、図７に示すように、パイロット式切換弁１０１にケーブル１０２を接続するための接続コネクタ１０３が設けられている。この接続コネクタ１０３は、パイロット式切換弁１０１に設けられ、かつケーブル１０２が主弁１０４の弁ボディの軸方向に沿って延びる状態で接続されるように、該ケーブル１０２の接続口（図示せず）が前記弁ボディの軸方向に対して直交する位置に開口するように形成されている。
【特許文献１】実開平６−８２４７５号公報
【発明の開示】
【発明が解決しようとする課題】
【０００５】
ところが、パイロット式切換弁１０１は、前記主弁１０４に設けられたポートがマニホールドベース１００の流路と連通するようにマニホールドベース１００上に取り付けられる。このため、前記接続コネクタ１０３は、パイロット式切換弁１０１の上面に設けられている。そして、図７に示すように、マニホールドベース１００に複数のパイロット式切換弁１０１が連設された状態では、前記ケーブル１０２は各主弁１０４の上側にて弁ボディの軸方向へ延びて制御装置等に接続されている。したがって、主弁１０４の上面に臨むように配置された手動操作釦１０５が、ケーブル１０２の下側に隠れてしまう場合があり、この場合には手動操作釦１０５の操作性が低下してしまうという問題があった。
【０００６】
本発明は、前記従来の問題に鑑みてなされたものであって、その目的は、手動操作釦が隠れてしまうことを回避することができ、手動操作釦の操作性の低下を防止することができるパイロット式切換弁を提供することにある。
【課題を解決するための手段】
【０００７】
上記問題点を解決するために、請求項１に記載の発明は、弁ボディの一側面に、圧力流体の供給ポート、出力ポート、及び排出ポートを備えるとともに、前記弁ボディ内に、該弁ボディの軸方向に沿って移動して前記出力ポートを前記供給ポートと排出ポートとに切換えて連通させる主弁体及びパイロット室を有する主弁と、前記弁ボディにて前記一側面と対向する側に設けられ、前記主弁の前記パイロット室にパイロット流体を給排するパイロット電磁弁とを備え、前記パイロット電磁弁からパイロット室に給排されるパイロット流体によって前記主弁体を移動させるパイロット式切換弁において、前記パイロット電磁弁を覆うカバーを備え、該カバーにて前記弁ボディの一側面と対向する外面に、前記パイロット電磁弁に通電するためのケーブルを接続可能とする接続コネクタを備えるとともに、該接続コネクタは、前記ケーブルが前記弁ボディの軸方向に沿って延びるように該ケーブルを接続可能とする接続口を備え、該接続口は前記弁ボディの軸方向に対して直交するように開口しており、さらに、前記カバーの外面に臨む操作面を有し該操作面が押圧されることによって前記パイロット電磁弁を操作して前記パイロット流体を前記パイロット室に供給可能とする手動操作釦を備え、前記接続コネクタからケーブルが延びる側に配設されたパイロット電磁弁を操作する手動操作釦を、前記操作面の全てが、前記カバーの外面にて前記接続口よりも前記ケーブルの延びる側へ超えない位置であり、かつ前記接続コネクタによって覆われない位置に配置したことを要旨とする。
【０００８】
請求項２に記載の発明は、請求項１に記載のパイロット式切換弁において、前記手動操作釦は、一端に前記操作面を有する操作軸と、該操作軸に対して交差する方向へ延びる腕部と、該腕部に突設され前記操作面の押圧に伴い前記パイロット電磁弁を押圧操作する操作部とから形成されていることを要旨とする。
【０００９】
請求項３に記載の発明は、請求項２に記載のパイロット式切換弁において、前記弁ボディには、前記操作軸が挿入されるガイド穴が形成され、該ガイド穴の内底面には、前記操作軸の他端が当接する当接部が設けられていることを要旨とする。
【００１０】
請求項４に記載の発明は、請求項１〜請求項３のうちいずれか一項に記載のパイロット式切換弁において、前記手動操作釦は、前記パイロット電磁弁のハウジングに形成された挿入孔内に挿入された押圧部材を介してパイロット電磁弁を操作するように構成され、該押圧部材と挿入孔との間には防滴用のシール部材が設けられていることを要旨とする。
【発明の効果】
【００１１】
本発明によれば、手動操作釦が隠れてしまうことを回避することができ、手動操作釦の操作性の低下を防止することができる。
【発明を実施するための最良の形態】
【００１２】
以下、本発明を具体化したパイロット式切換弁の一実施形態を図１〜図６にしたがって説明する。
図１に示すように、マニホールドベース１１は、複数のベース１０を連設してなり、マニホールドベース１１の各ベース１０の上面にはパイロット式切換弁２１が取り付けられている。前記マニホールドベース１１には、ベース１０の連設方向に沿って、流体の供給流路１２と排出流路１３ａ，１３ｂが形成されている（図２参照）。また、図２に破線に示すように、マニホールドベース１１の各ベース１０には、該ベース１０の一面に向けて開口する出力口１４ａ，１４ｂが形成されている。上記ベース１０には、パイロット式切換弁２１を取り付けるためのねじ穴（図示せず）が複数形成され、隣り合うねじ穴のピッチは所定値に設定されている。すなわち、ベース１０は前記ピッチが標準化されたＩＳＯ準拠タイプのものである。
【００１３】
次に、パイロット式切換弁２１について説明する。なお、以下の説明においてパイロット式切換弁２１の「上」「下」は、図２に示す矢印Ｙ１の方向を上下方向とする。
図２に示すように、パイロット式切換弁２１は、主弁２０と、該主弁２０に一体的に設けられた２つのパイロット電磁弁６１とから主に構成されている。前記主弁２０は、弁ボディ３１の軸方向（図１及び図２では左右方向）の両端にサブプレート４１が取り付けられ、さらに、各サブプレート４１にキャップ５１が取り付けられて外郭が構成されている。さらに、主弁２０において、前記弁ボディ３１の軸方向両側の上面には、それぞれ前記パイロット電磁弁６１が取り付けられている。また、パイロット式切換弁２１は、前記２つのパイロット電磁弁６１を覆うカバー９１を主弁２０の上側に備えているとともに、前記カバー９１の外面にはＬ字状をなす接続コネクタ８１が突設されている。そして、接続コネクタ８１には、前記パイロット電磁弁６１に通電するためのケーブル８２が接続されている。
【００１４】
次に、前記主弁２０について詳細に説明する。主弁２０において、弁ボディ３１には、圧力流体の供給ポートＰ、出力ポートＡ，Ｂ及び排出ポートＥＡ，ＥＢが形成され、弁ボディ３１の一側面たる下面３１ａには、前記供給ポートＰ、出力ポートＡ，Ｂ、及び排出ポートＥＡ，ＥＢが開口している。また、弁ボディ３１には、該弁ボディ３１を軸方向に貫通する貫通孔３２が形成されているとともに、該貫通孔３２には前記供給ポートＰ、出力ポートＡ，Ｂ、及び排出ポートＥＡ，ＥＢが連通されている。そして、パイロット式切換弁２１がベース１０の上面に取り付けられた状態では、前記供給ポートＰはベース１０の供給流路１２と連通し、出力ポートＡは出力口１４ａと連通するとともに、出力ポートＢは出力口１４ｂと連通している。加えて、前記排出ポートＥＡは排出流路１３ａと連通するとともに、排出ポートＥＢは排出流路１３ｂと連通している。
【００１５】
前記弁ボディ３１において、前記貫通孔３２の軸方向の両側にはパイロット室３３が形成されている。ここで、貫通孔３２の軸方向一端側（図２では左端側）に連通するパイロット室３３を第１パイロット室３３ａとし、貫通孔３２の長さ方向他端側（図２では右端側）に連通するパイロット室３３を第２パイロット室３３ｂとする。そして、前記貫通孔３２内には、主弁体としてのスプール３４が該スプール３４の軸方向に移動可能に収容されている。また、前記第１パイロット室３３ａ内には第１ピストン３４ａが収容されているとともに、該第１ピストン３４ａはスプール３４の一端に取着されている。さらに、第２パイロット室３３ｂ内には第２ピストン３４ｂが収容されているとともに、該第２ピストン３４ｂはスプール３４の他端に取着されている。そして、スプール３４は、パイロット室３３に作用するパイロット流体によって、供給ポートＰと出力ポートＡ、及び出力ポートＢと排出ポートＥＢが連通する第１の切換位置（図示せず）と、図２に示す、供給ポートＰと出力ポートＢ及び出力ポートＡと排出ポートＥＡが連通する第２の切換位置とに切換可能に構成されている。
【００１６】
図２の破線に示すように、主弁２０には、前記供給ポートＰとパイロット電磁弁６１とを連通させ、パイロット流体をパイロット電磁弁６１へ供給する供給通路４２が形成されている。また、主弁２０において、サブプレート４１及びキャップ５１には、パイロット電磁弁６１とパイロット室３３（第１パイロット室３３ａ又は第２パイロット室３３ｂ）とを連通させ、パイロット電磁弁６１を介してパイロット流体をパイロット室３３に供給可能とするパイロット通路４４が形成されている。なお、このパイロット通路４４内には、パイロット電磁弁６１側からパイロット室３３へのパイロット流体の流入を許容する一方で、パイロット室３３からパイロット電磁弁６１側へのパイロット流体の流入を阻止する逆止弁４６が設けられている。
【００１７】
次に、前記パイロット電磁弁６１について説明する。パイロット電磁弁６１は、弁ボディ３１にて前記下面３１ａと対向する側面たる上面３１ｄに設けられている。また、パイロット電磁弁６１は、弁ボディ３１の上面３１ｄにて該弁ボディ３１の中心軸上に設けられている。図４及び図５に示すように、前記パイロット電磁弁６１は、ソレノイド部６２と弁機能部６３とを備えている。前記弁機能部６３のハウジングには、パイロット入力ポート６３Ｐと、パイロット出力ポート６３Ａ及びパイロット排出ポート６３Ｅが形成されている。そして、前記パイロット入力ポート６３Ｐは、前記供給通路４２に連通し、該供給通路４２を介して供給ポートＰとパイロット電磁弁６１とが連通されている。また、パイロット出力ポート６３Ａは、前記パイロット通路４４に連通し、該パイロット通路４４を介してパイロット出力ポート６３Ａとパイロット室３３とが連通されている。加えて、パイロット排出ポート６３Ｅは排出通路４７に連通されている。
【００１８】
前記弁機能部６３のハウジング内には、弁室６４が形成されているとともに、該弁室６４は前記パイロット入力ポート６３Ｐ、パイロット出力ポート６３Ａ、及びパイロット排出ポート６３Ｅに連通されている。さらに、弁室６４内には弁体６５が収容されているとともに、弁室６４の内面には供給弁座６４ａが形成されている。そして、該供給弁座６４ａに前記弁体６５が着座すると、前記パイロット入力ポート６３Ｐとパイロット出力ポート６３Ａとの連通が遮断され、供給弁座６４ａから弁体６５が離間すると、パイロット入力ポート６３Ｐとパイロット出力ポート６３Ａとの連通が許容されるようになっている。前記弁体６５は、連動部材６７内に収容されているとともに、該弁体６５及び連動部材６７は付勢ばね６６の付勢力（ばね力）によって供給弁座６４ａから離間する方向へ付勢されている。
【００１９】
前記ソレノイド部６２は、そのハウジング内の中心部に固定鉄心（コア）６８が嵌入固定されているとともに、可動鉄心６９が固定鉄心６８に対して移動可能に収容されている。また、可動鉄心６９は、コイルばね７０の付勢力（ばね力）によって可動鉄心６９が固定鉄心６８から離間する方向へ付勢されている。なお、前記コイルばね７０の付勢力は、前記付勢ばね６６の付勢力を上回っている。このため、ソレノイド部６２への通電が解除された状態では、コイルばね７０の付勢力によって移動した可動鉄心６９に前記連動部材６７が当接しており、さらに、弁体６５はコイルばね７０の付勢力によって供給弁座６４ａに着座する方向へ付勢されている。
【００２０】
また、弁機能部６３において、そのハウジングの周壁上部には挿入孔６３ａが形成されているとともに、該挿入孔６３ａ内には押圧部材７１がその軸方向（上下方向）へ移動可能に挿入されている。この押圧部材７１の周面にはシール部材としてのＯリング７２が装着されているとともに、該Ｏリング７２によって挿入孔６３ａの周面と、押圧部材７１の周面との間がシールされ、防滴構造が設けられている。また、押圧部材７１は、付勢部材としての復帰ばね７６の付勢力によって上方へ向けて付勢されている（図４参照）。さらに、弁機能部６３において、ハウジング内には前記押圧部材７１に連接された押圧ピン７３が設けられている。この押圧ピン７３は、前記可動鉄心６９の軸方向に沿って移動可能に設けられている。また、押圧ピン７３において、前記押圧部材７１側の端部には押圧ピン７３の先端に向かい縮径するようにテーパ面７３ａが形成されている。
【００２１】
そして、押圧ピン７３のテーパ面７３ａは、前記押圧部材７１の先端（下端）の傾斜面７１ａに当接され、押圧部材７１を押圧すると、傾斜面７１ａがテーパ面７３ａに摺接し、該摺接によって押圧ピン７３が可動鉄心６９に向けてスライド移動するようになっている。前記ソレノイド部６２において、前記固定鉄心６８及び可動鉄心６９の外周側には、これら鉄心６８，６９を跨ぐ範囲にコイル７４が巻回配置されている。このコイル７４への電力供給に応じて電磁付勢力（電磁吸引力）が、固定鉄心６８と可動鉄心６９との間に発生し、該電磁付勢力によって可動鉄心６９が固定鉄心６８に吸引されるようになっている。
【００２２】
図２に示すように、パイロット式切換弁２１において、前記弁ボディ３１の上部には、収容凹部３５が凹設されているとともに、該収容凹部３５内には前記パイロット電磁弁６１を駆動するための駆動回路３６が収容されている。この駆動回路３６は、前記ケーブル８２に接続された制御装置（図示せず）からの外部指令に基づいて、パイロット電磁弁６１に電力を供給する。前記駆動回路３６は、平板状の基板３７と、この基板３７に実装された複数種類の電気部品３８とからなっている。また、弁ボディ３１の上面には、前記駆動回路３６を覆うようにして防滴カバー３９が装着されているとともに、該防滴カバー３９を貫通して前記駆動回路３６に電気的に接続されたリード線Ｌが引き込まれている。なお、リード線Ｌは、前記カバー９１に設けられた端子９１ａに接続されている。この端子９１ａは、前記接続コネクタ８１に接続されたケーブル８２に電気的に接続されている。そして、防滴カバー３９によって、弁ボディ３１の収容凹部３５内に収容された駆動回路３６が防滴されている。
【００２３】
パイロット式切換弁２１において、弁ボディ３１、サブプレート４１、及びキャップ５１の上側には、前記パイロット電磁弁６１を覆うカバー９１が装着されている。また、カバー９１のほぼ中央には、前記接続コネクタ８１が突設されている。この接続コネクタ８１はカバー９１の外面（上面）より延設された胴部８３と、該胴部８３の中心軸Ｍ１に対して直交する方向へ延びる接続部８４とから構成されている。そして、接続部８４はその中心軸Ｍ２が、弁ボディ３１の軸方向に沿って平行に延びるように形成されている。また、接続部８４の先端面は、弁ボディ３１の軸方向に対して直交する仮想平面Ｈ上に位置しているとともに、接続部８４の先端面にはケーブル８２を挿入接続可能とする接続口８１ａが形成されている（図３参照）。すなわち、前記接続口８１ａは、弁ボディ３１の軸方向に対して直交するように開口している。そして、図１及び図２に示すように、接続口８１ａにケーブル８２が挿入接続されると、ケーブル８２は弁ボディ３１の軸方向に沿って延びるように配設されるようになっている。
【００２４】
上記構成のパイロット式切換弁２１は、駆動回路３６によってパイロット電磁弁６１に通電され、コイル７４へ電力が供給されると、電磁付勢力（電磁吸引力）によって可動鉄心６９が固定鉄心６８側へ移動する（図５参照）。この可動鉄心６９の移動に連動して連動部材６７も可動鉄心６９側へ移動し、弁体６５は付勢ばね６６の付勢力によって供給弁座６４ａから離間する方向へ移動する。すると、パイロット入力ポート６３Ｐとパイロット出力ポート６３Ａの連通が許容され、供給通路４２を介して供給ポートＰとパイロット電磁弁６１との連通が許容される。さらに、パイロット流体によってパイロット通路４４における逆止弁４６が移動して、パイロット通路４４を介してパイロット電磁弁６１からパイロット室３３への流体の流入が許容される。そして、パイロット室３３のうち第１パイロット室３３ａにパイロット流体が流入されると、前記スプール３４は、供給ポートＰと出力ポートＡ及び出力ポートＢと排出ポートＥＢが連通する第１の切換位置に移動する。一方、パイロット室３３のうち第２パイロット室３３ｂにパイロット流体が流入されると、供給ポートＰと出力ポートＢ及び出力ポートＡと排出ポートＥＡが連通する第２の切換位置に移動する。
【００２５】
また、コイル７４への通電が解除されると、電磁付勢力が消滅し、可動鉄心６９はコイルばね７０の付勢力によって固定鉄心６８から離れる側へ移動する（図４参照）。すると、可動鉄心６９の移動に連動して連動部材６７が移動するため、弁体６５は付勢ばね６６を収縮して供給弁座６４ａに着座する。すると、パイロット入力ポート６３Ｐとパイロット出力ポート６３Ａとの連通が遮断されるとともにパイロット出力ポート６３Ａとパイロット排出ポート６３Ｅとの連通が許容される。その結果、パイロット室３３のパイロット流体は、逆止弁４６によってパイロット電磁弁６１側へ逆流することが阻止されるとともに、キャップ５１及びベース１０を介して大気開放される。
【００２６】
図１〜図３に示すように、パイロット式切換弁２１には、手動によってパイロット電磁弁６１にパイロット流体を給排可能とする手動操作釦９３が各パイロット電磁弁６１に対応して１つずつ設けられている。すなわち、カバー９１の内側において、弁ボディ３１の軸方向に沿った両側にそれぞれ１つずつパイロット電磁弁６１が配設されている。そして、該手動操作釦９３によって前記押圧部材７１が押圧されてパイロット電磁弁６１が手動操作されるようになっている。前記手動操作釦９３の一端面（上面）には、工具等によって手動操作釦９３を押圧操作するための操作面９４が形成され、該操作面９４はカバー９１の上面に形成された透孔９１ｂに臨むように配設されている。
【００２７】
次に、２つの手動操作釦９３のうち、接続コネクタ８１の接続口８１ａに接続されたケーブル８２が延びる側に配設された手動操作釦９３の位置について説明する。図１に示すように、２つの透孔９１ｂのうち、ケーブル８２が延びる側に形成された透孔９１ｂは、パイロット式切換弁２１の平面視において、前記接続コネクタ８１（接続部８４）よりも側方に位置し、接続コネクタ８１の下側に隠れない（覆われない）位置に配置されている。前記透孔９１ｂは、前記接続口８１ａが位置する仮想平面Ｈ上に位置し、透孔９１ｂの全てが前記仮想平面Ｈよりもケーブル８２の延びる側へ超えない位置に配置されている。すなわち、透孔９１ｂは、接続コネクタ８１に接続されたケーブル８２の接続側端部の側方（隣り）に配置されている。このため、図１に示すように、上記位置にある透孔９１ｂに臨む操作面９４は、その全てが仮想平面Ｈを超えない位置であり、パイロット式切換弁２１の平面視において、ケーブル８２及び接続コネクタ８１の下側に隠れない（覆われない）位置に配置されている。
【００２８】
また、図３に示すように、手動操作釦９３は、棒状をなす操作軸９５を備えているとともに、該操作軸９５における操作面９４側にて操作軸９５の軸方向に対し直交する方向へ延設された腕部９６を備えている。また、前記腕部９６の先端下面には、操作軸９５の軸方向に沿って延びる操作部９７が形成されている。そして、手動操作釦９３は、弁ボディ３１にて、前記透孔９１ｂの下側に形成されたガイド穴３１ｂ内に前記操作軸９５が収容され、手動操作釦９３は、操作軸９５がガイド穴３１ｂに沿って移動することで該ガイド穴３１ｂの延びる方向（上下方向）へ移動するようにガイドされる。ガイド穴３１ｂの内底面には、前記操作軸９５の他端面が当接する当接部としての規制突起３１ｃが突設されている。
【００２９】
また、操作軸９５がガイド穴３１ｂに収容された状態では、該操作軸９５から延設された腕部９６によって前記操作部９７が、パイロット電磁弁６１における押圧部材７１の上面に当接されている。すなわち、手動操作釦９３が腕部９６を備えているため、手動操作釦９３の操作面９４がパイロット電磁弁６１（押圧部材７１）よりオフセットした位置に配置されている。手動操作釦９３は、押圧部材７１を介した復帰ばね７６の付勢力によって、規制突起３１ｃから離れる方向へ付勢されている。そして、手動操作釦９３の操作面９４を工具等によって押圧すると、操作軸９５がガイド穴３１ｂに沿って下方へ移動するようにガイドされるとともに、腕部９６も下方へ移動し、操作部９７が押圧部材７１を押圧するようになっている。そして、パイロット式切換弁２１において、手動操作釦９３の非操作時（非押圧時）は、パイロット入力ポート６３Ｐとパイロット出力ポート６３Ａとの連通が遮断され、操作時（押圧時）はパイロット入力ポート６３Ｐとパイロット出力ポート６３Ａとの連通が許容されるようになっている。
【００３０】
さて、上記構成のパイロット式切換弁２１において、該パイロット式切換弁２１の試運転時や該パイロット式切換弁２１が通電不能となったとき、図５及び図６に示すように、パイロット電磁弁６１に対応する手動操作釦９３の操作面９４が押圧される。なお、以下の説明において、ケーブル８２が延びる側に配設されたパイロット電磁弁６１を手動操作釦９３で操作する場合について説明する。このとき、図１に示すように、手動操作釦９３の操作面９４は、操作面９４の全てが、接続口８１ａ（仮想平面Ｈ）よりもケーブル８２の延びる側へ超えない位置に配置されているとともに、接続コネクタ８１及びケーブル８２よりも側方に配置されている。このため、パイロット式切換弁２１の平面視において、操作面９４は接続コネクタ８１及びケーブル８２の下側に隠れない位置に配置されている。したがって、操作面９４を操作する際に、接続コネクタ８１やケーブル８２が障害となり、操作面９４の操作性が低下することがない。
【００３１】
そして、操作面９４を操作して手動操作釦９３が押圧される。このとき、図６に示すように、該操作軸９５の他端面が、規制突起３１ｃに当接するため、操作軸９５がパイロット電磁弁６１を操作するために押圧部材７１を押圧するのに必要な分だけ移動が許容され、それ以上の移動が規制される。図５に示すように、手動操作釦９３（操作部９７）によって押圧部材７１が押圧され、傾斜面７１ａがテーパ面７３ａに摺接し、該摺接によって押圧ピン７３が可動鉄心６９に向けてスライド移動する。すると、コイル７４への通電時と同じようにパイロット式切換弁２１は駆動して、スプール３４は第１の切換位置又は第２の切換位置に移動する。一方、前記手動操作釦９３の操作を解除すると、該手動操作釦９３による押圧部材７１の押圧も解除される。すると、コイル７４への通電を解除したときと同様にパイロット式切換弁２１は駆動する。ここで、パイロット通路４４の流体圧によって押圧部材７１は復帰する方向へ付勢される。
【００３２】
上記実施形態によれば、以下のような効果を得ることができる。
（１）ケーブル８２が延びる側に配置されたパイロット電磁弁６１に対応する手動操作釦９３は、操作面９４の全てが、接続口８１ａ（仮想平面Ｈ）よりもケーブル８２の延びる側へ超えない位置に配置されているとともに、接続コネクタ８１及びケーブル８２によって覆われない位置に配置されている。このため、パイロット式切換弁２１の平面視において、操作面９４は接続コネクタ８１及びケーブル８２の下側に隠れない位置に配置されている。したがって、工具等によって操作面９４を容易に操作（押圧）することができる。特に、多数のベース１０が連設された状態では、多数のパイロット式切換弁２１からケーブル８２が延び、該ケーブル８２はそれぞれ緩やかに湾曲するように曲げられて制御装置に向けて取り回される。このとき、操作面９４が上記位置に配設されることで、多数のケーブル８２が曲げられて配設されても、操作面９４がケーブル８２の下側に隠れることを回避することができる。
【００３３】
（２）手動操作釦９３は、操作軸９５から腕部９６が延設され、該腕部９６に操作部９７が突設されることで形成されている。そして、パイロット電磁弁６１は、通常、弁ボディ３１の中心軸に沿った位置に配設されるが、手動操作釦９３から腕部９６を延設することで、パイロット電磁弁６１の操作を弁ボディ３１の中心軸から離れた（オフセットした）位置から行うことが可能となる。よって、操作面９４をケーブル８２の下側に隠れない位置に配設することが可能となり、操作面９４がケーブル８２の下側に隠れることを回避することができる。
【００３４】
（３）手動操作釦９３の操作軸９５は、ガイド穴３１ｂ内に挿入され、ガイド穴３１ｂの内底面には規制突起３１ｃが突設されている。そして、手動操作釦９３を操作したとき、操作軸９５が規制突起３１ｃに当接することで、操作軸９５が必要以上に押し込まれることが防止でき、必要以上の押し込みによって腕部９６が湾曲したり、折れたりすることを防止することができる。
【００３５】
（４）押圧部材７１と挿入孔６３ａとの間にはＯリング７２が介在され、該Ｏリング７２によって押圧部材７１と挿入孔６３ａとの間をシールして防滴構造を構成している。したがって、手動操作釦９３と透孔９１ｂとの間に防滴構造を設ける必要が無く、防滴構造（例えば、Ｏリング）を設けることによる手動操作釦９３の操作性の低下をなくすことができる。
【００３６】
なお、上記実施形態は以下のように変更してもよい。
○  ガイド穴３１ｂにおける規制突起３１ｃは無くてもよい。
○  パイロット式切換弁２１は、パイロット電磁弁６１を１つだけ備えたタイプであってもよい。
【００３７】
○  透孔９１ｂの周面と手動操作釦９３の操作軸９５の周面との間にＯリングを介在させて防滴構造を設けてもよい。
○  パイロット電磁弁６１を、弁ボディ３１の上面３１ｄにて該弁ボディ３１の中心軸よりずれた位置に設け、該パイロット電磁弁６１の押圧部材７１上に手動操作釦９３を設けてもよい。この場合、手動操作釦９３の操作面９４は、操作面９４の全てが接続口８１ａよりもケーブル８２の延びる側へ超えない位置であり、かつ接続コネクタ８１によって覆われない位置に配置されている。また、手動操作釦９３は腕部９６を備えず、操作面９４が押圧されると手動操作釦９３が直接押圧部材７１を押圧してパイロット電磁弁６１を駆動させるようになっている。
【００３８】
○  透孔９１ｂ及び操作面９４を覆うキャップ部材をカバー９１に設けてもよい。このように構成すると、透孔９１ｂの周面と操作面９４とからなる凹部に、水やゴミ等が溜まることを防止することができる。
【００３９】
○  透孔９１ｂの位置は、操作面９４の全てが接続口８１ａを超えない位置であり、かつ接続コネクタ８１によって覆われない位置であれば任意に変更してもよく、この場合は透孔９１ｂとパイロット電磁弁６１の押圧部材７１との距離に合わせて腕部９６の長さが調整される。    
【００４０】
○  ケーブル８２は、図中に記載のものよりも小径をなすリード線であってもよい。
次に、上記実施形態及び別例から把握できる技術的思想について以下に追記する。
（１）弁ボディの一側面に、圧力流体の供給ポート、出力ポート、及び排出ポートを備えるとともに、前記弁ボディ内に、該弁ボディの軸方向に沿って移動して前記出力ポートを前記供給ポートと排出ポートとに切換えて連通させる主弁体及びパイロット室を有する主弁と、前記弁ボディにて前記一側面と対向する側に設けられ、前記主弁の前記パイロット室にパイロット流体を給排するパイロット電磁弁とを備え、前記パイロット電磁弁からパイロット室に給排されるパイロット流体によって前記主弁体を移動させるパイロット式切換弁において、前記パイロット電磁弁を覆うカバーを備え、該カバーにて前記弁ボディの一側面と対向する外面に、前記パイロット電磁弁に通電するためのケーブルを接続可能とする接続コネクタを備えるとともに、該接続コネクタは、前記ケーブルが前記弁ボディの軸方向に沿って延びるように該ケーブルを接続可能とする接続口を備え、該接続口は前記弁ボディの軸方向に対して直交する位置に開口するように形成されており、さらに、前記カバーの外面に臨む操作面を有し該操作面が押圧されることによって前記パイロット電磁弁を操作して前記パイロット流体を前記パイロット室に供給可能とする手動操作釦を備え、該手動操作釦が、前記操作面を一端に備える操作軸と、該操作軸に対して交差する方向へ延びる腕部と、該腕部に設けられ前記操作面の押圧に伴い前記パイロット電磁弁を操作する操作部とから形成されていることを特徴とするパイロット式切換弁。
【図面の簡単な説明】
【００４１】
【図１】実施形態のパイロット式切換弁を連設した状態を示す平面図。
【図２】パイロット式切換弁を示す断面図。
【図３】手動操作釦を示す部分断面図。
【図４】パイロット電磁弁を示す断面図。
【図５】手動操作釦を操作したときのパイロット電磁弁を示す断面図。
【図６】手動操作釦を操作した状態を示す部分断面図。
【図７】背景技術のパイロット式切換弁を連設した状態を示す平面図。
【符号の説明】
【００４２】
Ａ，Ｂ…出力ポート、ＥＡ，ＥＢ…排出ポート、Ｐ…供給ポート、２０…主弁、２１…パイロット式切換弁、３１…弁ボディ、３１ａ…一側面としての下面、３１ｂ…ガイド穴、３１ｃ…当接部としての規制突起、３３（３３ａ，３３ｂ）…（第１及び第２）パイロット室、３４…主弁体としてのスプール、６１…パイロット電磁弁、６３ａ…挿入孔、７１…押圧部材、７２…シール部材としてのＯリング、７６…付勢部材としての復帰ばね、８１…接続コネクタ、８１ａ…接続口、８２…ケーブル、９１…カバー、９３…手動操作釦、９４…操作面、９５…操作軸、９６…腕部、９７…操作部。
【図１】
0004680807.tif 000002
【図２】
0004680807.tif 000003
【図３】
0004680807.tif 000004
【図４】
0004680807.tif 000005
【図５】
0004680807.tif 000006
【図６】
0004680807.tif 000007
【図７】
0004680807.tif 000008